(57)【特許請求の範囲】
【請求項１】
箱体に収納物を収納する包装箱であって、
前記箱体の内側面に、該箱体の底面に対して垂直に形成されたスライド溝部と、
板体を折目線を介して前記底面と反対の向きに折り曲げて形成される相対向する一対の仕切り板であって、これを該底面に対して起立させた仕切り部と、
前記仕切り部の両端に、前記スライド溝部に嵌合するように形成された突出部と、
前記仕切り部の折目線に沿ってその一部を切欠いた第１切欠き部と、
前記仕切り部の内側から前記第１切欠き部に進退自在に嵌合すると共に抜け止めの係合部を有する取っ手部とを備え、
前記取っ手部は、その上端部の両側に突設されて前記仕切り部の上端に当接する鍔部を備えることを特徴とする包装箱。
【請求項２】
請求項１記載の包装箱において、
前記仕切り部は、前記第１切欠き部に隣接して、前記取っ手部の提口の一部を露呈させる第２切欠き部を備えることを特徴とする包装箱。
【請求項３】
請求項１または２記載の包装箱において、
前記仕切り部および前記取っ手部が前記底面側に収容された状態で、該取っ手部の上端が前記箱体の側面の高さ以下となるように、該仕切り部および該取っ手部の高さが決定されることを特徴とする包装箱。
【発明の詳細な説明】
【技術分野】
【０００１】
本発明は、箱体に収納物を収納するための包装箱に関する。
【背景技術】
【０００２】
従来、この種の包装箱としては、箱体の中央部に設けられた仕切り板は、その両端部が箱体の側面に設けられたスライド溝部に嵌合して上下方向に移動自在に構成されると共に、把持用開口部が形成されてなる包装箱が知られている（例えば、特許文献１（図１−図４参照））。
【先行技術文献】
【特許文献】
【０００３】
【特許文献１】実開昭５８−１２１３５号公報
【発明の概要】
【発明が解決しようとする課題】
【０００４】
しかしながら、従来の包装箱では、仕切り板自体が、上方向に移動して把持のための取っ手となるため、箱体に収納物が収納された状態では仕切り板を上方向に移動する際に取引者や需要者の手が収納物に接触してしまうという問題がある。
【０００５】
さらに、スライド溝は、箱体の側面の高さ等の制約によりそのスライド長に限界があるため、上方向に移動する仕切り板の移動量も制限される。そのため、仕切り板を上方に移動させた後も、包装箱を把持した手が収納物に接触し得るという問題がある。
【０００６】
特に、収納物が食品である果実等の場合には、食品自体の品質を低下させる要因となることが懸念される。
【０００７】
以上の事情に鑑みて、本発明は、収納物との接触を回避して容易に取っ手部を形成させることができる包装箱を提供することを目的とする。
【課題を解決するための手段】
【０００８】
第１発明の収納箱は、
箱体に収納物を収納する包装箱であって、
前記箱体の内側面に、該箱体の底面に対して垂直に形成されたスライド溝部と、
板体を折目線を介して前記底面と反対の向きに折り曲げて形成される相対向する一対の仕切り板であって、これを該底面に対して起立させた仕切り部と、
前記仕切り部の両端に、前記スライド溝部に嵌合するように形成された突出部と、
前記仕切り部の折目線に沿ってその一部を切欠いた第１切欠き部と、
前記仕切り部の内側から前記第１切欠き部に進退自在に嵌合すると共に抜け止めの係合部を有する取っ手部とを備え、
前記取っ手部は、その上端部の両側に突設されて前記仕切り部の上端に当接する鍔部
を備えることを特徴とする。
【０００９】
第１発明の包装箱によれば、仕切り部自体が箱体に対してスライドするのみならず、取っ手部が仕切り部に対して進退する。そのため、取っ手部自体を把持すればよく、仕切り板自体を上方向に移動する必要がないため、把持する際に、取引者や需要者の手が収納物に接触してしまうことを回避することができる。
【００１０】
さらに、取っ手部を把持すると、箱体およびその収納物の重力で、取っ手部が仕切り部に対してスライドして取っ手部が収納物から離反すると共に、仕切り部自体が箱体に対してスライドすることで更に取っ手部が収納物から離反する。そのため、持ち運びの間、包装箱を把持した手が収納物に接触し得ることを回避することができる。
【００１１】
このように、第１発明の包装箱によれば、収納物との接触を回避して容易に取っ手部を形成させることができる。
【００１２】
第２発明の包装箱は、第１発明において、
前記仕切り部は、前記第１切欠き部に隣接して、前記取っ手部の提口の一部を露呈させる第２切欠き部を備える。
【００１３】
第２発明の包装箱によれば、第１切欠き部に隣接して、取っ手部の提口の一部を露呈させる第２切欠き部を設けることで、取っ手部が仕切り部に収容された状態でも取っ手部の提口の一部を露呈させることができ、露呈した提口に指を掛けることで、容易に取っ手部を引き出すことができる。これにより、把持する際に、取引者や需要者の手が収納物に接触してしまうことを回避することができる。
【００１４】
第３発明の包装箱は、第１または第２発明において、
前記仕切り部および前記取っ手部が前記底面側に収容された状態で、該取っ手部の上端が前記箱体の側面の高さ以下となるように、該仕切り部および該取っ手部の高さが決定されることを特徴とする。
【００１５】
第３発明の包装箱によれば、取引者や需要者の手が収納物に接触してしまうことを回避するためには、取っ手部の位置を高くすることも考えられるが、取っ手部の高さを高くすると、包装箱を積み上げた際に取っ手部が上の収納箱の底面に接触して不安定となる。しかしながら、仕切り部自体が箱体に対してスライドするのみならず、取っ手部が仕切り部に対して進退するように構成することで、把持する際に取引者や需要者の手が収納物に接触してしまうことを回避することができると共に、仕切り部および取っ手部が底面側に収容された状態で、取っ手部の上端が箱体の側面の高さ以下とすることができ、包装箱を積み上げた際にも取っ手部が上の収納箱の底面に接触して不安定となることを回避することができる。
【図面の簡単な説明】
【００１６】
【図１】包装箱の全体構成を示す斜視図。
【図２】仕切り部の構成を示す展開図。
【図３】取っ手部の構成を示す展開図。
【図４】包装箱の構成を示す分解図。
【発明を実施するための形態】
【００１７】
まず、図１を参照して、本実施形態の包装箱について説明する。
【００１８】
本実施形態の包装箱は、いずれも段ボール製の、箱体１と、箱体１の内部を仕切る仕切り部２と、仕切り部２に嵌合して取っ手を形成する取っ手部３とを備える。
【００１９】
なお、図１（ａ）は、仕切り部２および取っ手部３が箱体１に収容された状態を示す斜視図であり、図１（ｂ）は、仕切り部２および取っ手部３が箱体１から引き出された状態を示す斜視図である。
【００２０】
箱体１は、側面１１と、底面１２とを有する箱型の形状であって、果実（例えば苺、葡萄、蜜柑等）や野菜（トマト等）の農産物等のパックを収納物として、当該パックを仕切り部２を介して複数収納可能な大きさとなっている。
【００２１】
側面１１は、外側面１１ａと内側面１１ｂとを有し、内側面１１ｂは外側面１１ａに連設したフラップを内側に折り返すことにより形成される。また、内側面１１ｂは、その端縁に突出部１１ｃを有し、突出部１１ｃが箱体１の底面１２に形成された溝部１２ａに嵌合して固定される。
【００２２】
側面１１には、底面に対して垂直に形成されたスライド溝部１３が形成されている。スライド溝１３は、後述する仕切り部２の突出部２２が嵌合する幅で、そのスライド長に対応した高さ方向の長さとなっている。
【００２３】
なお、本実施形態において、スライド溝部１３は、側面１１の内側面１１ｂのみならず外側面１１ａにも形成されているが、これに限定されるものではなく、スライド溝１３は、少なくとも内側面１１ｂに形成されていればよい。
【００２４】
図２に示すように、仕切り部２は、仕切り板２０を形成する板体を、折り目線２１ａ，２１ｂに沿って折り曲げた形状で、突出部２２と、第１切欠き部２３と、第２切欠き部２４とを備える。
【００２５】
突出部２２は、仕切り部２の両端の下部に形成され、その幅ｄがスライド溝１３の幅と等しくなっていると共に、折り目線２１ａ，２１ｂの間隔に対応している。また、突出部２２の高さは、突出部２２の強度および、スライド溝１３の高さとの関係で規定される実際のスライド長（ストローク）から決定される。
【００２６】
第１切欠き部２３は、折目線２１ａ，２１ｂに沿って、その中央部から両側に一定幅切欠いたものであり、第２切欠き部２４は、第１切欠き部２３に隣接して、その中央部を半円形に切欠いたものである。
【００２７】
図３に示すように、取っ手部３は、取っ手板３０を折り目線３１に沿って折り曲げた形状であって、提口３２と、係合部３３と、鍔部３４とを備える。
【００２８】
提口３２は、包装箱を取り扱う取引者や需要者などが手を掛ける取っ手部分であり、一般的な大人の人差し指から小指までの幅に対応した幅および高さとなっている。
【００２９】
係合部３３は、提口３２を構成する取っ手部分の下部から両側に突出した凸部であって、図４に示すように、取っ手部３を仕切り部２の内側から第１切欠き部２３に進退自在に嵌合させた際に、取っ手部３が第１切欠き部２３を超えて脱落することを防止するための抜け止めとして機能する。
【００３０】
鍔部３４は、提口３２を構成する取っ手部分の上部から両側に僅かに突出した凸部であって、図４に示すように、取っ手部３を仕切り部２の内側から第１切欠き部２３に進退自在に嵌合させた際に、取っ手部３が仕切り部２に落ち込むことを防止するための抜け止めとして機能する。
【００３１】
なお、取っ手部３の係合部３３の上端から鍔部３４の下端までの高さは、取っ手部３が仕切り部２に対して進退するストロークに相当する。
【００３２】
また、取っ手部３が仕切り部２に収容された状態、すなわち、取っ手部３の鍔部３４の下端が仕切り部２の上端部に当接した状態で、取っ手部３の下端が底面１２に当接するように、当該ストロークおよび係合部３３の高さが決定される。さらに、この状態で、取っ手部３の上端が箱体１の側面１１の高さ以下となるように、仕切り部２の高さと取っ手部３の高さおよび当該ストロークとが決定される。
【００３３】
以上のように構成された包装箱は、図１および図４に示すように、まず、取っ手部３の提口３２側を仕切り部２の折り返し片の内側から、その第１切欠き部２３へ挿入する。これにより、取っ手部３の提口３２側が第１切欠き部２３に嵌合した状態で進退自在となる。
【００３４】
次に、取っ手部３が一体となった仕切り部２を、その両端の突出部２２，２２がスライド溝部１３，１３に嵌合させる。
【００３５】
これにより、仕切り部２自体が箱体１に対してスライドするのみならず、取っ手部３が仕切り部２に対して進退する。そのため、図１（ａ）において、取っ手部３自体を把持すればよく、仕切り板自体を上方向に移動する必要がないため、把持する際に、取引者や需要者の手が収納物に接触してしまうことを回避することができる。
【００３６】
さらに、図１（ｂ）に示すように、取っ手部３を把持すると、箱体１およびその収納物の重力で、取っ手部３が仕切り部２に対してスライドして取っ手部３が収納物から離反すると共に、仕切り部２自体が箱体１に対してスライドすることで更に取っ手部３が収納物から離反する。そのため、持ち運びの間、包装箱を把持した手が収納物に接触し得ることを回避することができる。
【００３７】
また、図１（ａ）に示すように、第２切欠き部２４により、取っ手部３が仕切り部２に収容された状態でも取っ手部２の提口３２の一部を露呈させることができ、露呈した提口３２に指を掛けることで、容易に取っ手部３を引き出すことができる。
【００３８】
さらに、仕切り部２および取っ手部３が底面１２側に収容された状態で、取っ手部３の上端が箱体１の側面の高さ以下となっているため、包装箱を積み上げた際にも取っ手部３が上の収納箱の底面１２に接触して不安定となることを回避することができる。
【符号の説明】
【００３９】
１…箱体、２…仕切り部、３…取っ手部、１１…側面、１３…スライド溝、２０…仕切り板、２１ａ，２１ｂ…折り目線、２２…突出部、２３…第１切欠き部、２４…第２切欠き部、３２…提口、３３…係合部、３４…鍔部。
【図１】
0005734641.tif 000002
【図２】
0005734641.tif 000003
【図３】
0005734641.tif 000004
【図４】
0005734641.tif 000005